【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
釣り竿に装着可能であり、釣り糸を前方に繰り出す両軸受リールであって、
ハンドルと、
前記釣り竿を取付可能な釣り竿取付脚と、前記ハンドル側に配置される第１側板、及び前記第１側板と間隔を隔てて配置された第２側板を含むフレームと、を有するリール本体と、
前記第１側板と前記第２側板と間に配置可能であり、前記リール本体に対して回転可能であり、前記釣り糸を巻き付け可能なスプールと、
前記スプールの前方に前記スプールの回転軸に沿って往復移動可能な釣り糸ガイドを有するレベルワインド機構と、
前記スプールと前記釣り糸ガイドとの間に前記回転軸の軸方向に沿って配置され、前記フレームの側部から前記リール本体に装着された板状のカバー部材と、
を備える両軸受リール。
【請求項２】
前記カバー部材は、前記第２側板に固定され、前記第２側板を貫通して前記第１側板に向かって延びる、請求項１に記載の両軸受リール。
【請求項３】
前記第２側板は、円形の開口部を有し、
前記リール本体は、前記開口部を塞ぐように前記第２側板に着脱可能に固定される蓋部材をさらに有し、
前記カバー部材は、前記蓋部材によって前記第２側板から外側に離れる方向への移動が規制される、請求項２に記載の両軸受リール。
【請求項４】
前記第２側板は、前記カバー部材が貫通可能なスリットを有し、
前記第１側板は、前記カバー部材の前記第１側板側の一端が係合可能な係合溝を有する、請求項２又は３に記載の両軸受リール。
【請求項５】
前記カバー部材の前記第２側板側の他端には前記蓋部材と前記第２側板に挟まれて前記第２側板に固定される固定部を有する、請求項３又は４に記載の両軸受リール
【請求項６】
前記レベルワインド機構は、
前記ハンドルの回転に連動して前記釣り糸ガイドを往復移動するためのトラバースカム軸と、
前記トラバースカム軸の外周を覆い、前記釣り糸ガイドが外周に配置される筒状のカム軸カバーと、をさらに有し、
前記カバー部材が延びる方向と交差する方向でかつ前記釣り竿取付脚から離れる側の前記カバー部材の端部は、前記カム軸カバーの前記釣り竿取付脚側の外周と前記釣り竿取付脚から離れる側の前記スプールの最大糸巻位置とを結ぶ接線よりも前記釣り竿取付脚から離れる側に配置される、請求項１から５のいずれか１項に記載の両軸受リール。
【請求項７】
前記レベルワインド機構の前方に配置され、前記スプールを回転駆動する電動モータをさらに備える、請求項１から６のいずれか１項に記載の両軸受リール。
【手続補正２】
【補正対象書類名】明細書
【補正対象項目名】全文
【補正方法】変更
【補正の内容】
【発明の詳細な説明】
【発明の名称】両軸受リール
【技術分野】
【０００１】
本発明は、釣り用リール、特に、釣り竿に装着可能であり、釣り糸を前方に繰り出す両軸受リールに関する。
【背景技術】
【０００２】
両軸受リールは、モータ又は手巻きによってスプールを回転させ、釣り糸を前方に繰り出すリールである。この種の両軸受リールには、レベルワインド機構が設けられたものがある。レベルワインド機構は、釣り糸をスプールの軸方向に往復移動させ、釣り糸をスプールに可及的に均等に巻き付けるための機構である。レベルワインド機構は、釣り糸を案内する釣り糸ガイドと、釣り糸ガイドを少なくとも糸巻取時にスプールの軸方向に往復移動させるガイド移動機構と、を有する。釣り糸ガイドは、スプールの前方にスプールの軸方向に移動自在に装着される。ガイド移動機構は、少なくともハンドルの糸巻取方向の回転に連動して釣り糸ガイドを往復移動させるためのトラバースカム軸と、釣り糸ガイドを軸方向に沿って案内するガイド部材と、トラバースカム軸の外周を覆い釣り糸ガイドが外周に配置される筒状のカム軸カバーと、を有する。
【０００３】
両軸受リールのコンパクト化を図るために、釣り糸ガイドをスプールに近接して配置したものが従来知られる（例えば、特許文献１参照）。このように釣り糸ガイドをスプールに近接して配置すると、スプールから糸ふけした釣り糸が釣り糸ガイドに絡むおそれがある。これを防止するために、従来の両軸受リールでは、スプールの周囲にカバー部材が装着される。従来のカバー部材は、クラッチ操作部材の操作部から釣り糸ガイドに近接する位置までスプールの外方を円弧状に囲んで配置される。カバー部材は、左右の側板の間に配置される。
【先行技術文献】
【特許文献】
【０００４】
【特許文献１】登録実用新案公報第３０３１９０９号公報
【発明の概要】
【発明が解決しようとする課題】
【０００５】
従来の両軸受リールでは、カバー部材がどのように左右の側板の間に配置されるのかは不明である。しかし、仮に、カバー部材をリール本体と別に設ける場合、カバー部材が一対の側板の間でクラッチ操作部材から釣り糸ガイドに近接する位置まで配置されるため、カバー部材をリール本体に容易に取り付けにくい。
【０００６】
本発明の課題は、レベルワインド機構への糸絡みを防止可能な両軸受リールにおいて、カバー部材をリール本体に対して容易に取り付けできるようにすることにある。
【課題を解決するための手段】
【０００７】
本発明に係る両軸受リールは、釣り竿に装着可能であり、釣り糸を前方に繰り出す両軸受リールである。両軸受リールは、ハンドルと、リール本体と、スプールと、レベルワインド機構と、カバー部材と、を備える。リール本体は、釣り竿を取付可能な釣り竿取付脚と、フレームと、を含む。フレームは、ハンドル側に配置される第１側板と、第１側板と間にスプールを配置可能に第１側板と間隔を隔てて配置された第２側板と、を有する。スプールは、リール本体に対して回転可能であり、釣り糸を巻き付け可能である。レベルワインド機構は、スプールの前方にスプールの回転軸に沿って往復移動可能な釣り糸ガイドを有する。カバー部材は、スプールと釣り糸ガイドとの間に回転軸の軸方向に沿って配置され、フレームの側部からリール本体に装着された板状の部材である。
【０００８】
この両軸受リールでは、カバー部材は、スプールと釣り糸ガイドの間に配置され、第１側板と第２側板とを有するリール本体のフレームの側部からリール本体に装着される。このような構成のカバー部材をフレームの側部から装着する場合、フレームにカバー部材の板厚よりも僅かに大きい幅を有するスリットを形成することよって、カバー部材を装着できる。ここでは、スプールと釣り糸ガイドとの間に配置される板状のカバー部材をフレームの側部から装着するように構成したので、カバー部材をリール本体に対して容易に取り付けできる。
【０００９】
カバー部材は、第２側板に固定され、第２側板を貫通して第１側板に向かって延びてもよい。この場合には、ハンドル側と反対側に配置される第２側板には、ハンドル側に設けられる第１側板に比べて装着される機構が少ないため、カバー部材をリール本体に対してさらに容易に取り付けできる。
【００１０】
第２側板は、円形の開口部を有してもよい。リール本体は、開口部を塞ぐように第２側板に着脱可能に固定される蓋部材をさらに有する。カバー部材は、蓋部材によって第２側板から外側に離れる方向への移動が規制される。この場合には、開口部を塞ぐ蓋部材によって第２側板から外側に離れる方向へのカバー部材の移動が規制されるので、カバー部材の移動を規制するための構成が不要になり、両軸受リールの構成を簡素化できる。
【００１１】
第２側板は、カバー部材が貫通可能なスリットを有してもよい。第１側板は、カバー部材の第１側板側の一端が係合可能な係合溝を有する。この場合には、カバー部材の一端が第２側板に設けられたスリットを貫通して第１側板の係合溝に係合するので、スリットと係合溝とによって、カバー部材を第２側板及び第１側板に容易に位置決めできる。
【００１２】
カバー部材の第２側板側の他端には蓋部材と第２側板に挟まれて第２側板に固定される固定部を有してもよい。この場合には、蓋部材と第２側板とによってカバー部材の固定部が挟まれてカバー部材がリール本体に固定される。このため、カバー部材の固定のためのボルトなどの固定部材を用いることなくカバー部材をリール本体に固定できる。また、カバー部材が不要になった場合は、カバー部材の取り外しも容易である。
【００１３】
レベルワインド機構は、ハンドルの回転に連動して釣り糸ガイドを往復移動するためのトラバースカム軸と、トラバースカム軸の外周を覆い、釣り糸ガイドが外周に配置される筒状のカム軸カバーと、をさらに有してもよい。カバー部材が延びる方向と交差する方向でかつ釣り竿取付脚から離れる側のカバー部材の端部は、カム軸カバーの釣り竿取付脚側の外周と釣り竿取付脚と離れる側のスプールの最大糸巻位置とを結ぶ接線よりも釣り竿取付脚から離れる側に配置される。この場合には、カバー部材の釣り竿取付脚から離反する側の端部が、接線よりも釣り竿取付脚から離反する側に配置される。接線は、カム軸カバーの釣り竿取付脚側の外周とスプールの最大糸巻き位置の釣り竿取付脚から離反する位置とに接する線である。すなわち、接線は、スプールの中心とカム軸カバーの中心とを結ぶ線を交差する。このような接線よりも釣り竿取付脚から離反する側にカバー部材の端部が配置されるので、スプールから糸ふけした釣り糸が釣り糸ガイドにさらに絡みにくくなる。
【００１４】
両軸受リールは、レベルワインド機構の前方に配置され、スプールを回転駆動する電動モータをさらに備えてもよい。この場合には、電動リールにおいて、カバー部材をリール本体に対して容易に取り付けできる。
【発明の効果】
【００１５】
本発明によれば、スプールと釣り糸ガイドとの間に配置される板状のカバー部材をフレームの側部から装着するように構成したので、カバー部材をリール本体に対して容易に取り付けできる。
【図面の簡単な説明】
【００１６】
【図１】本発明の一実施形態による両軸受リールである電動リールの斜視図。
【図２】電動リールの平面図。
【図３】図２の切断線III−IIIによる断面図。
【図４】電動リールの一部の分解斜視図。
【図５】図２の切断線V−Vによる断面図。
【図６】フレームの右側面図。
【図７】カバー部材の斜視図。
【図８】第１側カバー及び機構装着板を外した状態の電動リールの左側面図。
【発明を実施するための形態】
【００１７】
図１及び図２において、本発明の一実施形態による両軸受リールである電動リール１００は、外部電源から供給された電力により駆動されるとともに、手巻きのリールとしても使用可能な小型の電動リールである。また、電動リール１００は糸繰り出し長さ又は糸巻取長さに応じて仕掛けの水深を表示する水深表示機能を有するリールである。なお、電動リール１００は、外部電源なしに、手巻きのリールとして使用する場合に、水深表示機能を駆動するための内部電源を有する。
【００１８】
電動リール１００は、釣り竿に装着可能であり水深表示部４を有するリール本体１と、ハンドル２と、スプール１０と、クラッチ操作部材１１と、モータ１２（図２、図４及び図５参照）と、スプール駆動機構１３（図８参照）と、クラッチ機構１６（図３参照）と、レベルワインド機構２２（図４及び図５参照）と、板状のカバー部材４０（図４及び図５参照）と、を備える。
【００１９】
ハンドル２は、リール本体１に回転可能に設けられる。スプール１０は、リール本体１に回転可能に設けられる。クラッチ操作部材１１は、クラッチ機構１６をオンオフ操作するためのものであり、リール本体１の後部に移動可能に設けられる。モータ１２は、リール本体１に設けられ、スプール１０を回転駆動する。スプール駆動機構１３は、ハンドル２及びモータ１２の駆動力に応じてスプール１０を駆動する。クラッチ機構１６は、ハンドル２の回転及びモータ１２の駆動力をスプール１０に伝達可能なクラッチオン状態と、ハンドル２の回転及びモータ１２の駆動力をスプール１０に伝達不能なクラッチオフ状態と、にクラッチ操作部材１１の操作によって切換可能である。レベルワインド機構２２は、釣り糸をスプール１０の軸方向に往復移動させ、釣り糸をスプール１０に可及的に均等に巻き付けるための機構である。カバー部材４０は、レベルワインド機構２２に釣り糸が絡むのを防止するための部材である。
【００２０】
＜リール本体＞
リール本体１は、釣り竿に取り付け可能な釣り竿取付脚７ｇと、フレーム７と、第１側カバー８ａと、第２側カバー８ｂと、前カバー９（図５参照）と、水深表示部４と、備える。フレーム７は、例えば合成樹脂又は金属製の一体形成された部材である。フレーム７は、図３、図４及び図５に示すように、ハンドル２側の第１側板７ａと、第２側板７ｂと、第１側板７ａと第２側板７ｂとを連結する第１連結部材７ｃ、第２連結部材７ｄ及び第３連結部材７ｅと、を有する。第２側板７ｂは、第１側板７ａと左右方向（図３左右方向）に間隔を隔てて配置される。第１側カバー８ａは、フレーム７のハンドル２装着側を覆う。第２側カバー８ｂは、フレーム７のハンドル２装着側と逆側を覆う。前カバー９は、フレーム７の前部を覆う。
【００２１】
第１側板７ａは、側板本体１９ａと、側板本体１９ａと間隔を隔てて配置され、各種の機構を装着するための機構装着板１９ｂを有する。側板本体１９ａは、図４に示すように、筒状に突出する第１ボス部１９ｃと、第１ボス部１９ｃの後下方に形成された係合溝１９ｄと、を有する。第１ボス部１９ｃの内周部には、レベルワインド機構２２の後述するトラバースカム軸６４を第１ボス部１９ｃに回転自在に支持するための第１ブッシュ６８ａが回転不能に装着される。第１ブッシュ６８ａは、第１ボス部１９ｃの外側面（機構装着板１９ｂに対向する面）から第１ボス部１９ｃに装着される。第１ブッシュ６８ａは、第１ボス部１９ｃを貫通して第１ボス部１９ｃよりも内側に突出する。第１ブッシュ６８ａの第１ボス部１９ｃから内側に突出する部分には、円弧状の第１凹部６８ｃが形成される。第１ボス部１９ｃの外周部には、トラバースカム軸６４が一体回転可能に連結される後述する第２ギア部材６１が軸受を介して回転自在に装着される。係合溝１９ｄは、幅が狭い細長い矩形形状である。係合溝１９ｄには、カバー部材４０の第１側板７ａ側の一端に形成された後述する係合部４０ａ（図７参照）が係合可能である。係合溝１９ｄの幅は、カバー部材４０の厚みと同じか又は厚みよりも僅かに大きい。係合溝１９ｄの長さは、カバー部材４０の係合部４０ａの縦方向の長さと同じか又は僅かに長い。
【００２２】
機構装着板１９ｂは、以下に示す各種の機構を装着するために設けられる。機構装着板１９ｂは、側板本体１９ａの外側面にネジ止め固定される。図３に示すように、側板本体１９ａと第１側カバー８ａとの間に、スプール駆動機構１３と、クラッチ機構１６を制御するクラッチ制御機構２０と、スプール１０の糸繰り出し方向の回転を制動する図示しないドラグ機構と、が設けられる。第１側カバー８ａには、スプール１０を制動するキャスティングコントロール機構２１が設けられる。キャスティングコントロール機構２１は、後述するスプール軸１４の両端を押圧してスプール１０の回転を制動する機構である。
【００２３】
第２側板７ｂは、図３及び図６に示すように、スプール１０が通過可能な円形に形成された開口部７ｆを有する。開口部７ｆには、スプール１０のスプール軸１４の第１端（図３左端）を回転自在に支持する円形のスプール支持部１７が芯出しされて装着される。スプール支持部１７は、蓋部材の一例である。スプール支持部１７は、第２側板７ｂの外側面に複数本（例えば３本）のねじ部材７０によって固定される。スプール支持部１７の中心には、スプール軸１４の第１端を支持する第１軸受１８ａが収納される。図６に示すように、第２側板７ｂの開口部７ｆの前方には、カバー部材４０が貫通可能なスリット７ｈが形成される。スリット７ｈと開口部７ｆとの間には、カバー部材４０をスプール支持部１７とで挟むための取付凹部７ｉが形成される。取付凹部７ｉは、図６ではわかりやすくするための太線のハッチングで示す。開口部７ｆと第２連結部材７ｄの間には、第２ボス部７ｊが形成される。第２ボス部７ｊは、第１側板７ａの側板本体１９ａに設けられる第１ボス部１９ｃと同芯に配置される。第２ボス部７ｊには、トラバースカム軸６４を第２ボス部７ｊに回転自在に支持するための第２ブッシュ６８ｂが回転不能に装着される。したがって、トラバースカム軸６４は、第１側板７ａと第２側板７ｂに両端支持される。第２ブッシュ６８ｂは、第２ボス部７ｊの外側面から装着される。第２ブッシュ６８ｂは、第２ボス部７ｊを貫通して第２ボス部７ｊよりも内側に突出する。第２ブッシュ６８ｂの第２ボス部７ｊから内側に突出する部分には、円弧状の第２凹部６８ｄが形成される。なお、図６の開口部７ｆ及び第２連結部材７ｄの内部に細線で描かれる円は、第１側板７ａの構成を図示している。
【００２４】
第１連結部材７ｃは、図５に示すように、第１側板７ａ及び第２側板７ｂの下部を連結する。第２連結部材７ｄはスプール１０の前方で第１側板７ａ及び第２側板７ｂの前部を連結する。第１連結部材７ｃは、板状の部分である。第２連結部材７ｄは、概ね円筒状の部分であり、その内部にモータ１２（図２及び図４参照）が収容される。第２連結部材７ｄの第２側板７ｂ側の開口端は、モータ１２を装着した後に図４に示すモータカバー４５によって塞がれる。第３連結部材７ｅは、図５に示すように、リール本体１の第１側板７ａと第２側板７ｂの後部を連結する円弧状に湾曲した概ね板状の部分である。釣り竿取付脚７ｇは、電動リール１００を釣り竿に取り付けるためのものであり、第１連結部材７ｃの左右方向の略中央部分に第１連結部材７ｃと一体形成される。なお、釣り竿取付脚７ｇは、フレーム７と別体であってもよい。
【００２５】
第１側カバー８ａには、図２に示すように、駆動軸３０（図８参照）を回転自在に支持するための第３ボス部８ｃが外方に突出して形成される。第３ボス部８ｃの後方には、スプール軸１４の第２端（図３右端）を支持する第４ボス部８ｄが外方に突出して形成される。第１側カバー８ａと第１側板７ａの間にはモータ１２の出力を調整するための出力調整部材５がダイヤルの形態で設けられる。
【００２６】
第２側カバー８ｂは、第２側板７ｂの外縁部に例えばねジ止めされる。第２側カバー８ｂの前部下面には、図３に示すように、電源ケーブル接続用のコネクタ１５（図３及び図８参照）が下向きに装着される。
【００２７】
ハンドル２は、第１側カバー８ａ側に設けられる。ハンドル２は、図１及び図２に示すように、ハンドルアーム２ａと、ハンドルアーム２ａの先端に装着されたハンドル把手２ｂと、を有する。ハンドル２は、第１側板７ａ側に装着される。ハンドル２は、リール本体１に回転自在に支持された駆動軸３０に一体回転可能に連結される。
【００２８】
前カバー９は、第１側板７ａ及び第２側板７ｂの前部外側面の上下２箇所で、例えばねジ止め固定される。前カバー９には、釣り糸通過用の横長の開口（図示せず）が形成される。前カバー９は、水深表示部４の前下面を覆う。
【００２９】
水深表示部４は、釣り糸の先端に装着可能な仕掛けの水深を表示可能である。水深表示部４は、図１及び図５に示すように、第１側板７ａ及び第２側板７ｂの上部に載置される。水深表示部４は、表示操作を行うための複数（例えば３つ）の操作ボタンを有するスイッチ操作部６を有する。
【００３０】
＜スプール＞
スプール１０は、図３及び図４に示すように、第１側板７ａと第２側板７ｂとの間に配置される。スプール１０は、スプール軸１４に一体回転可能に装着される。スプール１０は、筒状の糸巻胴部１０ａと、糸巻胴部１０ａの両側に一体形成された大径の第１フランジ部１０ｂ及び第２フランジ部１０ｃと、を有する。第１フランジ部１０ｂは、第１側板７ａ側に設けられ、第２フランジ部１０ｃは第２側板７ｂ側に設けられる。スプール軸１４は、糸巻胴部１０ａの内周部に圧入等の適宜の固定手段により固定される。
【００３１】
スプール軸１４の第１端（図３左端）は、前述したようにスプール支持部１７に第１軸受１８ａによって回転自在に支持される。スプール軸１４の第２端（図３右端）は、第１側カバー８ａの第４ボス部８ｄに第２軸受１８ｂによって回転自在に支持される。
【００３２】
スプール軸１４のスプール固定部分よりも第２軸受１８ｂ側には、クラッチ機構１６を構成するクラッチピン１６ａが径方向を貫通して装着される。
【００３３】
＜レベルワインド機構＞
レベルワインド機構２２は、図３に示すように、第１側板７ａと第２側板７ｂとの間に概ね配置される。レベルワインド機構２２は、図４及び図５に示すように、釣り糸が挿通する釣り糸ガイド６３と、交差する螺旋状溝６４ａが外周面に形成されたトラバースカム軸６４と、トラバースカム軸６４の外周を覆うカム軸カバー６５と、を有する。釣り糸ガイド６３は、スプール１０の前方にスプール軸１４に沿って往復移動可能なものである。釣り糸ガイド６３は、モータ１２及びハンドル２の糸巻取方向の回転に応じて回転するトラバースカム軸６４の回転によって往復移動する。釣り糸ガイド６３は、内部を釣り糸が挿通するガイド部６６ｃを有するガイド本体６６ａと、ガイド本体６６ａに所定角度回動自在に設ける係合部材６６ｂ（図４参照）と、を有する。ガイド部６６ｃは筒状に形成され、内部に硬質リング６６ｄ（図５参照）が装着される。ガイド本体６６ａは、屈曲して形成されており、屈曲部分をトラバースカム軸６４及びカム軸カバー６５が貫通する。また、ガイド本体６６ａは、第１ガイド軸６７ａ及び第２ガイド軸６７ｂによって、トラバースカム軸６４に沿って案内される。第１ガイド軸６７ａ及び第２ガイド軸６７ｂは、トラバースカム軸６４を挟んだ上下の２箇所にトラバースカム軸６４と平行に配置される。係合部材６６ｂは、トラバースカム軸６４の螺旋状溝６４ａに係合する係合突起６６ｅを有する。係合部材６６ｂは、ガイド本体６６ａに収容され、第２ガイド軸６７ｂが貫通する抜け止め部材６６ｆによって抜け止めされる。
【００３４】
トラバースカム軸６４は、スプール軸１４と平行に配置され、前述したように第１側板７ａと第２側板７ｂに、第１ボス部１９ｃに装着された第１ブッシュ６８ａ及び第２ボス部７ｊに装着された第２ブッシュ６８ｂを介して回転自在に両端支持される。したがって、トラバースカム軸６４及び釣り糸ガイド６３は、スプール１０に近接して配置される。トラバースカム軸６４は、スプール駆動機構１３によってハンドル２又はモータ１２の回転が伝達されて回転する。トラバースカム軸６４の第１側板７ａ側の一端には、第２ギア部材６１に一体回転可能に連結される非円形部６４ｂが形成される。
【００３５】
カム軸カバー６５は、薄肉筒状の部材である。カム軸カバー６５は、トラバースカム軸６４への異物の付着等を防止するためにトラバースカム軸６４の外周面に近接して配置される。カム軸カバー６５の外周面６５ａは、ガイド本体６６ａに嵌合する。カム軸カバー６５は、係合部材６６ｂが通過する部分に切欠き部６５ｂを有する。カム軸カバー６５は、第１側板７ａと第２側板７ｂの間に配置される。カム軸カバー６５の両端部は、第１ブッシュ６８ａの第１凹部６８ｃ及び第２ブッシュ６８ｂの第２凹部６８ｄの外周面に回転不能に係合して両端支持される。
【００３６】
＜カバー部材＞
カバー部材４０は、例えば、アルミニウム、マグネシウム、ステンレス等の金属を用いた板状の部材である。本実施形態では、カバー部材４０は、ステンレス製であり、例えばプレス成形によって作成される。図４及び図５に示すように、カバー部材４０は、スプール１０と釣り糸ガイド６３との間にスプール軸１４の軸方向に沿って配置される。カバー部材４０は、フレーム７の側部からリール本体１に装着される。具体的には、本実施形態では、カバー部材４０は、第２側板７ｂに固定され、第２側板７ｂを貫通して第１側板７ａに向かって延びる。カバー部材４０は、図７に示すように、第１側板７ａ側の一端に第１側板７ａの側板本体１９ａに形成された係合溝１９ｄに係合する係合部４０ａと、第２側板７ｂ側の他端に設けられ固定部４０ｂと、係合部４０ａと固定部４０ｂとの間に設けられた糸絡み防止部４０ｃと、を有する。
【００３７】
係合部４０ａは、糸絡み防止部４０ｃよりも縦方向の長さが短い。これによって、係合溝１９ｄに係合部４０ａが係合すると、糸絡み防止部４０ｃが側板本体１９ａの内側面に接触可能になる。
【００３８】
固定部４０ｂは、糸絡み防止部４０ｃから９０度程度折れ曲がって形成される。固定部４０ｂは、第２側板７ｂの外側面に形成された取付凹部７ｉに配置される。固定部４０ｂの厚みは、取付凹部７ｉの深さと同じか又は薄い。固定部４０ｂは、取付凹部７ｉと同様な形状であり、取付凹部７ｉにはまり込んで移動しにくい形状である。固定部４０ｂは、蓋部材であるスプール支持部１７によって第２側板７ｂから外側に離れる方向への移動が規制される。固定部４０ｂは、取付凹部７ｉにおいて、スプール支持部１７と第２側板７ｂとに挟まれて第２側板７ｂに固定される。
【００３９】
糸絡み防止部４０ｃは、第２側板７ｂに形成されたスリット７ｈを通過可能であり、図５に示す断面形状がスリット７ｈよりも僅かに小さい。糸絡み防止部４０ｃの釣り竿取付脚７ｇから離反する上部４０ｄは、釣り糸ガイド６３との干渉を避けるために上下方向において僅かに後方に湾曲する。これによって、スプール１０と釣り糸ガイド６３とを近接して配置できるとともに、糸絡み防止部４０ｃの剛性を高くすることができる。糸絡み防止部４０ｃの下部４０ｅは、平面的に形成される。係合部４０ａの縦方向の長さは、下部４０ｅよりも短い。また、図５に示すように、糸絡み防止部４０ｃの上部４０ｄの上端、すなわち、カバー部材４０の釣り竿取付脚７ｇから離反する側の端部４０ｆは、カム軸カバー６５の釣り竿取付脚７ｇ側（すなわち、下側）の外周面６５ａと釣り竿取付脚７ｇから離れる側（すなわち、上側）のスプール１０の最大糸巻位置１０ｄとを結ぶ接線ＣＬよりも釣り竿取付脚７ｇから離れる側（すなわち、上側）に配置される。
【００４０】
カバー部材４０は、第２側板７ｂ側から第１側板７ａに向けて装着される。カバー部材４０をリール本体１のフレーム７に取り付ける際には、カバー部材４０の固定部４０ｂを持って、糸絡み防止部４０ｃをスリット７ｈに挿入する。そして、係合部４０ａを側板本体１９ａの係合溝１９ｄに係合させる。係合部４０ａを係合溝１９ｄに係合させると、固定部４０ｂは取付凹部７ｉ内に配置される。この状態でスプール支持部１７を３本のねじ部材７０によって第２側板７ｂに固定すると、カバー部材４０の固定部４０ｂがスプール支持部１７と第２側板７ｂの取付凹部７ｉとの間に挟まれて、フレーム７に固定される。また、カバー部材４０を取り外す場合は、スプール支持部１７を取り外してから、固定部４０ｂを持ってカバー部材４０を引き抜けばよい。
【００４１】
ここでは、カバー部材４０をフレーム７の側部から装着するように構成したので、カバー部材４０をリール本体１に対して容易に取り付けできる。また、カバー部材をフレーム７の側部から引き抜けばカバー部材４０を容易に取り外しできる。特に本実施形態では、第２側板７ｂ側からカバー部材４０を装着したので、カバー部材４０を取り外す場合は、第２側カバー８ｂとスプール支持部１７を外すだけで、カバー部材４０を取り外すことができる。したがって、カバー部材４０をさらに容易に取り外すことができる。
【００４２】
＜クラッチ機構＞
クラッチ機構１６は、図３に示すように、クラッチピン１６ａと、ピニオンギア３２の図３左側端面に径方向に沿った２箇所に凹んで形成されたクラッチ凹部１６ｂと、を有する。ピニオンギア３２は、クラッチ機構１６を構成するとともに、スプール駆動機構１３の後述する第１回転伝達機構２４を構成する。ピニオンギア３２は、スプール軸１４方向に沿って、図３に示すクラッチオン位置とクラッチオン位置より右側のクラッチオフ位置との間で移動する。クラッチオン位置では、クラッチピン１６ａがクラッチ凹部１６ｂに係合してピニオンギア３２の回転がスプール軸１４に伝達され、クラッチ機構１６は、クラッチオン状態になる。このクラッチオン状態では、ピニオンギア３２とスプール軸１４とが一体回転可能になる。また、クラッチオフ位置では、クラッチ凹部１６ｂがクラッチピン１６ａから離反してピニオンギア３２の回転がスプール軸１４に伝達されない。このため、クラッチ機構１６は、クラッチオフ状態になり、スプール１０は自由回転可能になる。クラッチ機構１６は、前述したように、クラッチ操作部材１１が操作されると、クラッチ制御機構２０を介して動作する。
【００４３】
＜クラッチ操作部材＞
クラッチ操作部材１１は、クラッチ機構１６をクラッチオン状態とクラッチオフ状態とに切り換え操作するためのものである。クラッチ操作部材１１は、図５に示すように、第１側板７ａと第２側板７ｂとの間でリール本体１の後部に釣り竿取付脚７ｇに対して接近及び離反する方向に移動可能に設けられる。この実施形態では、クラッチ操作部材１１は、スプール１０の軸回りに揺動可能に設けられる。クラッチ操作部材１１は、図５に実線で示すクラッチオン位置と、二点鎖線で示すクラッチオフ位置と、の間で揺動する。
【００４４】
＜スプール駆動機構＞
スプール駆動機構１３は、スプール１０を糸巻取方向に駆動する。また、巻取時にスプール１０にドラグ力を発生させて釣り糸の切断を防止する。スプール駆動機構１３は、図８に示すように、ローラクラッチの形態の逆転防止部３６（図４参照）によって糸巻取方向の回転が禁止されたモータ１２と、第１回転伝達機構２４と、第２回転伝達機構２５と、を備える。第１回転伝達機構２４は、モータ１２の回転を減速してスプール１０に伝達する。第２回転伝達機構２５は、ハンドル２の回転を、第１回転伝達機構２４を介して増速してスプール１０に伝達する。
【００４５】
第１回転伝達機構２４は、図８に示すように、モータ１２の出力軸に連結された図示しない遊星減速機構を有する。遊星減速機構のケース２６の内側面には、図示しない内歯ギアが形成され、内歯ギアの出力がケース２６の外周面に形成された第１ギア部材６０によってスプール１０に伝達される。具体的には、第１回転伝達機構２４は、第１ギア部材６０と、第１ギア部材６０に噛み合う第２ギア部材６１と、第２ギア部材６１に噛み合うピニオンギア３２と、をさらに有する。第２ギア部材６１及びピニオンギア３２は、機構装着板１９ｂと側板本体１９ａとの外側面との間に配置される。第２ギア部材６１は、第１ギア部材６０の回転をピニオンギア３２に回転方向を整合させて伝達するための中間ギアである。第２ギア部材６１は、側板本体１９ａの第１ボス部１９ｃ及び機構装着板１９ｂに転がり軸受を介して回転自在に支持される。図８に示すように、第２ギア部材６１には、トラバースカム軸６４が一体回転可能に連結される。トラバースカム軸６４の第１側板７ａ側の端部には、非円形部６４ｂが形成され、第２ギア部材６１は、非円形部６４ｂに係合してトラバースカム軸６４を回転させる。
【００４６】
ピニオンギア３２は、側板本体１９ａに装着された図示しない軸受により第１側板７ａにスプール軸１４回りに回転自在かつ軸方向移動自在に装着される。ピニオンギア３２は、クラッチ制御機構２０により制御されて軸方向にクラッチオン位置とクラッチオフ位置との間でスプール軸１４の外周側を移動する。
【００４７】
第２回転伝達機構２５は、図８に示すように、ハンドル２が一体回転可能に連結された駆動軸３０と、駆動ギア３１と、第３ギア部材６２と、図示しないドラグ機構と、を有する。
【００４８】
駆動軸３０は、機構装着板１９ｂ及び第１側カバー８ａに回転自在に支持される。駆動軸３０は、図示しないローラ型のワンウェイクラッチにより糸繰り出し方向の回転が禁止される。駆動ギア３１は、駆動軸３０に回転自在に装着される。駆動ギア３１は、ドラグ機構により糸繰り出し方向の回転が制動される。これにより、スプール１０の糸繰り出し方向の回転が制動される。
【００４９】
第３ギア部材６２は、ハンドル２の回転をスプール１０に伝達するために設けられる。第３ギア部材６２は、遊星減速機構のキャリアに一体回転可能に連結される。第３ギア部材６２は、駆動ギア３１に噛み合い、ハンドル２の回転を遊星減速機構のキャリアに伝達する。キャリアに伝達された回転は、第１ギア部材６０及び第２ギア部材６１を介してピニオンギア３２に伝達される。第３ギア部材６２から第２ギア部材６１までの減速比は概ね「１」である。
【００５０】
このように構成された電動リール１００では、出力調整部材５の操作又はハンドル２を糸巻取方向に回転させることによって釣り糸を巻き取ることができる。また、クラッチ操作部材１１をクラッチオン位置からクラッチオフ位置に向けて押し込み操作すると、クラッチ機構１６がクラッチオフ状態になり、スプール１０を自由回転状態にすることができる。これによって釣り糸の先端に設けられた仕掛けの自重によって釣り糸を繰り出すことができる。このとき、キャスティングした場合や仕掛けが重い場合に、釣り糸の繰り出し速度が速い場合、釣り糸をスプール１０において糸ふけすることがある。本実施形態の電動リール１００では、レベルワインド機構２２の釣り糸ガイド６３とスプール１０との間にカバー部材４０が設けられるため、このような糸ふけが生じても、釣り糸ガイド６３に釣り糸が絡みにくくなる。
【００５１】
＜他の実施形態＞
以上、本発明の一実施形態について説明したが、本発明は上記実施形態に限定されるものではなく、発明の要旨を逸脱しない範囲で種々の変更が可能である。特に、本明細書に書かれた複数の実施形態及び変形例は必要に応じて任意に組合せ可能である。
【００５２】
（ａ）上記実施形態では、両軸受リールとしてモータを有する電動リールを例に本発明を説明したが、本発明はこれに限定されず、手巻きの両軸受リールにも適用できる。特に、手巻きの両軸受リールの場合は、ハンドル装着側と逆側の第２側カバーをワンタッチで開くことができるものがある。このような場合、さらにカバー部材の取り付け及び取り外しがさらに容易になる。
【００５３】
（ｂ）上記実施形態では、カバー部材４０をハンドル２と逆側の側部から装着したが、ハンドル２側から装着してもよい。この場合には、スプール駆動機構を組み込む前にカバー部材を装着すればよい。
【００５４】
（ｃ）上記実施形態では、カバー部材は金属製であったが、カバー部材は合成樹脂製でもよい。合成樹脂製の場合はカバー部材の板厚を変化させてもよい。
【００５５】
（ｄ）上記実施形態には、スプール１０が糸巻取方向に回転するときに動作するレベルワインド機構２２を有する両軸受リールを例示したが、本発明はこれに限定されない。スプール１０が糸繰り出し方向に回転するときにも動作するレベルワインド機構を有する両軸受リールにも本発明を適用できる。
【００５６】
（ｅ）上記実施形態では、カバー部材４０のスプール１０に対向する表面に表面処理を行っていないが、例えば、金属めっき、フッ素化合物を含有する金属めっき等の摺動性を高める表面処理をおこなって、カバー部材の表面の摺動性能を高めてもよい。
【００５７】
（ｆ）上記実施形態では、糸絡み防止部４０ｃの上部４０ｄを後方に湾曲させたが、本発明はこれに限定されない。スプールと釣り糸ガイドとの間に空間の余裕があれば、糸絡み防止部を湾曲させなくてもよい。
【００５８】
＜特徴＞
上記実施形態は、下記のように表現可能である。
（Ａ）電動リール（両軸受リールの一例）１００は、釣り竿に装着可能であり、釣り糸を前方に繰り出すリールである。電動リール１００は、ハンドル２と、リール本体１と、スプール１０と、レベルワインド機構２２と、カバー部材４０と、を備える。リール本体１は、釣り竿を取付可能な釣り竿取付脚７ｇと、フレーム７と、を含む。フレーム７は、ハンドル２側に配置される第１側板７ａと、第１側板７ａと間にスプール１０を配置可能に第１側板７ａと間隔を隔てて配置された第２側板７ｂと、を有する。スプール１０は、リール本体１に対して回転可能であり、釣り糸を巻き付け可能である。レベルワインド機構２２は、スプール１０の前方にスプール１０の回転軸であるスプール軸１４に沿って往復移動可能な釣り糸ガイド６３を有する。カバー部材４０は、スプール１０と釣り糸ガイド６３との間に軸方向に沿って配置され、フレーム７の側部からリール本体１に装着された板状の部材である。
【００５９】
この電動リール１００では、カバー部材４０は、スプール１０と釣り糸ガイド６３の間に配置され、第１側板７ａと第２側板７ｂとを有するリール本体１のフレーム７の側部からリール本体１に装着される。このような構成のカバー部材４０をフレーム７の側部から装着する場合、フレーム７にカバー部材４０の板厚よりも僅かに大きい幅を有するスリット７ｈを形成することよって、カバー部材４０を装着できる。ここでは、スプール１０と釣り糸ガイド６３との間に配置される板状のカバー部材４０をフレーム７の側部から装着するように構成したので、カバー部材４０をリール本体１に対して容易に取り付けできる。
【００６０】
（Ｂ）カバー部材は、第２側板７ｂに固定され、第２側板７ｂを貫通して第１側板７ａに向かって延びてもよい。この場合には、ハンドル２側と反対側に配置される第２側板７ｂには、ハンドル２側に設けられる第１側板７ａに比べて装着される機構が少ないため、カバー部材４０をリール本体１に対してさらに容易に取り付けできる。
【００６１】
（Ｃ）第２側板７ｂは、円形の開口部７ｆを有してもよい。リール本体１は、開口部７ｆを塞ぐように第２側板７ｂに着脱可能に固定されるスプール支持部１７（蓋部材の一例）をさらに有する。カバー部材４０は、スプール支持部１７によって第２側板７ｂ側への移動が規制される。この場合には、開口部７ｆを塞ぐスプール支持部１７によって第２側板７ｂ側へのカバー部材４０の移動が規制されるので、カバー部材４０の移動を規制するための構成が不要になり、電動リール１００の構成を簡素化できる。
【００６２】
（Ｄ）第２側板７ｂは、カバー部材４０が貫通可能なスリット７ｈを有してもよい。第１側板７ａは、カバー部材４０の第１側板７ａ側の一端にある係合部４０ａが係合可能な係合溝１９ｄを有する。この場合には、カバー部材４０の一端にある係合部４０ａが第２側板７ｂに設けられたスリット７ｈを貫通して第１側板７ａの係合溝１９ｄに係合するので、スリット７ｈと係合溝１９ｄとによって、カバー部材４０を第２側板７ｂ及び第１側板７ａに容易に位置決めできる。
【００６３】
（Ｅ）カバー部材４０の第２側板７ｂ側の他端にはスプール支持部１７と第２側板７ｂに挟まれて第２側板７ｂに固定される固定部４０ｂを有してもよい。この場合には、スプール支持部１７と第２側板７ｂとによってカバー部材４０の固定部４０ｂが挟まれてカバー部材４０がリール本体１に固定される。このため、カバー部材４０の固定のためのボルトなどの固定部材を用いることなくカバー部材４０をリール本体１に固定できる。また、カバー部材４０が不要になった場合は、カバー部材４０の取り外しも容易である。
【００６４】
（Ｆ）レベルワインド機構２２は、ハンドル２の回転に連動して釣り糸ガイド６３を往復移動するためのトラバースカム軸６４と、トラバースカム軸６４の外周を覆い、釣り糸ガイド６３が外周に配置される筒状のカム軸カバー６５と、をさらに有してもよい。カバー部材４０が延びる方向と交差する方向でかつ釣り竿取付脚７ｇから離れる側のカバー部材４０の端部４０ｆは、カム軸カバー６５の釣り竿取付脚７ｇ側の外周面６５ａと釣り竿取付脚７ｇと離れる側のスプール１０の最大糸巻位置１０ｄとを結ぶ接線ＣＬよりも釣り竿取付脚７ｇから離れる側に配置される。この場合には、カバー部材４０の釣り竿取付脚７ｇから離反する側の端部である端部４０ｆが、接線ＣＬよりも釣り竿取付脚７ｇから離反する側に配置される。この接線ＣＬは、カム軸カバー６５の釣り竿取付脚７ｇ側の外周とスプール１０の最大糸巻位置１０ｄの釣り竿取付脚７ｇから離反する位置とに接する線である。この接線ＣＬは、スプール１０の中心とカム軸カバー６５の中心とを結ぶ線を交差する。このような接線ＣＬよりも釣り竿取付脚７ｇから離反する側にカバー部材４０の端部４０ｆが配置されるので、スプール１０から糸ふけした釣り糸が釣り糸ガイド６３にさらに絡みにくくなる。
【００６５】
（Ｇ）電動リール１００は、レベルワインド機構２２の前方に配置され、スプール１０を回転駆動するモータ１２をさらに備えてもよい。この場合には、電動リール１００において、カバー部材４０をリール本体１に対して容易に取り付けできる。
【００６６】
１    リール本体
２    ハンドル
７    フレーム
７ａ  第１側板
７ｂ  第２側板
７ｆ  開口部
７ｇ  釣り竿取付脚
７ｈ  スリット
１０    スプール
１２    モータ
１７    スプール支持部（蓋部材の一例）
１９ｄ  係合溝
２２    レベルワインド機構
４０    カバー部材
４０ｂ  固定部
４０ｆ  端部
６３    釣り糸ガイド
６４    トラバースカム軸
６５    カム軸カバー
６５ａ  外周面
１００    電動リール（両軸受リールの一例）
ＣＬ    接線
【手続補正３】
【補正対象書類名】図面
【補正対象項目名】図１
【補正方法】変更
【補正の内容】
【図１】
2015057997.tif 000001
【手続補正４】
【補正対象書類名】図面
【補正対象項目名】図２
【補正方法】変更
【補正の内容】
【図２】
2015057997.tif 000002
【手続補正５】
【補正対象書類名】図面
【補正対象項目名】図３
【補正方法】変更
【補正の内容】
【図３】
2015057997.tif 000003
【手続補正６】
【補正対象書類名】図面
【補正対象項目名】図４
【補正方法】変更
【補正の内容】
【図４】
2015057997.tif 000004
【手続補正７】
【補正対象書類名】図面
【補正対象項目名】図５
【補正方法】変更
【補正の内容】
【図５】
2015057997.tif 000005
【手続補正８】
【補正対象書類名】図面
【補正対象項目名】図７
【補正方法】変更
【補正の内容】
【図７】
2015057997.tif 000006